(57)【要約】【課題】試運転しながら点検を行った室外機側から試運転前の運転状態に復帰することができる空気調和機の室外機を提供する。【解決手段】空気調和機の室外機は、リモコンにより自身の側から運転が制御される室内機と通信が可能であるとともに上記リモコンの制御に係わらず試運転を実行および停止する試運転操作部を具備する室外制御基板を備える空気調和機の室外機において、  上記室外制御基板に設けられたコネクタと接続することにより上記室内機と通信することができる保守用基板を備え、上記保守用基板は、上記リモコンからの指令により運転しているときの空気調和機の運転状態を上記室内機から取得して記憶する状態取得手段と、上記記憶された運転状態で運転を復帰するように上記室内機に指令する復帰指令手段と、を有する。【選択図】図１
2009144990.tif 000002
【特許請求の範囲】
【請求項１】
リモコンにより自身の側から運転が制御される室内機と通信が可能であるとともに上記リモコンの制御に係わらず試運転を実行および停止する試運転操作部を具備する室外制御基板を備える空気調和機の室外機において、
上記室外制御基板に設けられたコネクタと接続することにより上記室内機と通信することができる保守用基板を備え、
上記保守用基板は、
上記リモコンからの指令により運転しているときの空気調和機の運転状態を上記室内機から取得して記憶する状態取得手段と、
上記記憶された運転状態で運転を復帰するように上記室内機に指令する復帰指令手段と、
を有することを特徴とする空気調和機の室外機。
【請求項２】
上記状態取得手段は、
点灯手段と、
空気調和機の運転し得る運転状態のいずれか１つを設定するディップスイッチ群と、
上記室内機から現在の運転状態を取得し、取得した運転状態と上記ディップスイッチ群に設定された運転状態とを比較し、両者が一致したとき上記点灯手段を点灯する状態取得回路と、
を備えることを特徴とする請求項１に記載の空気調和機の室外機。
【発明の詳細な説明】
【技術分野】
【０００１】
この発明は、点検時に試運転を行った後に室外機側から点検前の運転状態に戻す空気調和機の室外機に関するものである。
【背景技術】
【０００２】
室外機側で点検作業を実行できる空気調和機は、室内機制御用マイクロコンピュ−タを有する室内ユニットと、室外機制御用マイクロコンピュ−タを有する室外ユニットと、これら室内ユニットと室外ユニットのそれぞれが相互に情報を通信し、この室外ユニットに設けた試運転操作手段にて、所定の時間室内ユニットおよび室外ユニットの運転を実行および停止する手段と、自己診断を設定する設定手段と、この設定手段で設定した情報を表示する表示部とを具備している（例えば、特許文献１参照）。
【０００３】
【特許文献１】特開平９−１３７９９３号公報
【発明の開示】
【発明が解決しようとする課題】
【０００４】
しかし、室外ユニットに設けた試運転操作手段により室内機および室外機を試運転すると、試運転前の室内機および室外機の運転状態に関する情報は室内機操作リモコンの指令値としてのみ残っているので、室外機側の点検が終了した後で空気調和機を復帰するためには室内機が設置されている各部屋に移動しなければならない。そのために作業員の動線が長く、点検時間がその分余分に掛かるという問題がある。
また、室内機操作リモコンを操作して空気調和機を試運転前の運転状態に復帰させるとき、室内機操作リモコンの操作ミスの可能性があるという問題がある。
【０００５】
この発明の目的は、試運転しながら点検を行った室外機側から試運転前の運転状態に復帰することができる空気調和機の室外機を提供することである。
【課題を解決するための手段】
【０００６】
この発明に係る空気調和機の室外機は、リモコンにより自身の側から運転が制御される室内機と通信が可能であるとともに上記リモコンの制御に係わらず試運転を実行および停止する試運転操作部を具備する室外制御基板を備える空気調和機の室外機において、
上記室外制御基板に設けられたコネクタと接続することにより上記室内機と通信することができる保守用基板を備え、上記保守用基板は、上記リモコンからの指令により運転しているときの空気調和機の運転状態を上記室内機から取得して記憶する状態取得手段と、上記記憶された運転状態で運転を復帰するように上記室内機に指令する復帰指令手段と、を有する。
【発明の効果】
【０００７】
この発明に係る空気調和機の室外機の効果は、室外制御基板につながるコネクタが実装され、保守用基板に実装されたコネクタにより接続することにより保守用基板を用いて室内機の運転状態を取得し記憶できるとともに点検が完了した後で記憶された室内機の運転状態の情報を用いて運転を復帰することができるので、リモコンを用いなくても室内機の運転を復帰でき、作業員が再度室内に戻る動作が必要なくなり点検時間が短縮することができることである。
【発明を実施するための最良の形態】
【０００８】
実施の形態１．
図１は、この発明の実施の形態１に係る空調機の室外機を備える空気調和機の構成図である。
この発明の実施の形態に係る空気調和機は、セパレータ型であり、空気調和機の室外機１と空気調和機の室内機２は、例えば室外機１が建物の屋上、室内機２が部屋の天井などに設置されている。そして、通常運転時は空気調和機の運転を室内機操作リモコン３から出力される指令に基づいて制御する。これら室外機１および室内機２には交流電源４から交流電力が供給される。
この発明の実施の形態１に係る室外機１は、室外機１の動作を制御する室外制御基板５、室外制御基板５の指令に基づいて作動するファンモ−タ６、室外制御基板５の指令に基づいて作動する圧縮機７、室外機１の図示しない熱交換器の温度を検出する温度検出用サ−ミスタ８、交流電源４からの交流の電圧を降圧する変圧器９、および、室外制御基板５に取り付け・取り外しができる保守用基板１０を備える。
室内機２は、室内機２の動作を制御する室内制御基板１１、室内制御基板１１の指令に基づいて作動するファンモ−タ１２、室内温度検出用サ−ミスタ１３、および、交流電源４からの交流の電圧を降圧する変圧器１４を備える。
【０００９】
室外制御基板５は、室外機１を制御する室外制御用マイクロコンピュータ１５、変圧器９により降圧された交流を整流平滑して室外制御用マイクロコンピュータ１５を駆動するための直流電源を得る整流回路１６、室内機２の種々の情報を表示する表示部１７、試運転の開始および終了が選択可能な試運転操作部１８、および、室内機２との通信を行なうための室内通信回路１９を備える。
室内制御基板１１は、室内機２を制御する室内制御用マイクロコンピュータ２１、変圧器１４により降圧された交流を整流平滑して室内制御用マイクロコンピュータ２１を駆動するための直流電源を得る整流回路２２、および、室外機１との通信を行なうための室外通信回路２３を備える。
【００１０】
試運転操作部１８は、試運転スイッチ２６および停止スイッチ２７が設けられ、試運転スイッチ２６が投入されると、室内機操作リモコン３の設定に関わりなく、室温と設定温度との差が最大値をとっているような疑似信号を室外制御用マイクロコンピュータ１５に送る。このため、室外機１は最大負荷で駆動されることになる。一方、停止スイッチ２７が投入されると、室外機１は駆動を停止する。
【００１１】
室外制御基板５には雌コネクタ２８が実装され、雌コネクタ２８は室外制御基板５の室内通信回路１９に接続されている。
保守用基板１０は、保守点検作業を行う作業員が携行し、保守用基板１０に実装された雄コネクタ２９を雌コネクタ２８に接続することにより、保守用基板１０が室内通信回路１９と接続される。
【００１２】
図２は、この発明の実施の形態１に係る保守用基板１０の平面図である。
保守用基板１０は、比較スイッチ３１、指令スイッチ３２、点灯手段としてのＬＥＤ３３、室内機２の運転状態を探るために設定するディップスイッチ群３４、比較スイッチ３１がＯＮされたとき室内制御用マイクロコンピュータ２１にアクセスして現在の運転状態を取得し、取得した運転状態とディップスイッチ群３４に設定された運転状態とを比較し、両者が一致したときＬＥＤ３３を点灯する状態取得回路３５、指令スイッチ３２がＯＮされたときディップスイッチ群３４に設定されている運転状態に関する情報を室内制御用マイクロコンピュータ２１に送信して室内機２を運転再開する復帰指令回路３６が実装されている。
【００１３】
なお、ＬＥＤ３３、ディップスイッチ群３４および状態取得回路３５により状態取得手段を構成している。また、ディップスイッチ群３４および復帰指令回路３６により復帰指令手段を構成している。
ディップスイッチ群３４は、４つのディップスイッチ３７ａ〜３７ｄで構成され、それぞれ冷房、ドライ、暖房、送風の運転状態に対応する。なお、ディップスイッチ群３４は、２つのディップスイッチにより４つの運転状態を設定しても良い。
【００１４】
図３は、この発明の実施の形態１における空気調和機を点検する手順を示すフローチャートである。
次に、この発明の実施の形態１に係る空調機の室外制御基板５に保守用基板１０を接続して点検作業を実行する手順を説明する。
ステップＳ１０１で、作業員は保守用基板１０を室外制御基板５に取り付ける。
ステップＳ１０２で、ディップスイッチ群３４のディップスイッチ３７ａ〜３７ｄの１つをＯＮして冷房、ドライ、暖房、送風の１つを仮に設定する。
ステップＳ１０３で、比較スイッチ３１をＯＮして室内機２の運転状態を取得する。
ステップＳ１０４で、ディップスイッチ群３４に設定されている運転状態と取得した運転状態とを比較し、両者が一致したときステップＳ１０５に進み、両者が不一致のときステップＳ１０２に戻る。
ステップＳ１０５で、ＬＥＤ３３を点灯してステップＳ１０６に進む。
ステップＳ１０６で、試運転スイッチ２６をＯＮして試運転を行いながら室外機１の点検箇所を点検する。
ステップＳ１０７で、室外機１の点検箇所の点検が完了したら停止スイッチ２７をＯＮして試運転を停止する。
ステップＳ１０８で、指令スイッチ３２をＯＮして室内機２に試運転前の運転状態を指令して室内機２の運転を再開する。
ステップＳ１０９で、保守用基板１０を室外制御基板５から取り外して点検対象の空調機の点検を終了する。
【００１５】
この発明の実施の形態１に係る空調機の室外機１は、室外制御基板５に室内通信回路１９につながる雌コネクタ２８が実装され、保守用基板１０に実装された雄コネクタ２９を雌コネクタ２８に接続することにより保守用基板１０を用いて室内機２の運転状態をディップスイッチ群３４に残すことができるとともに点検が完了した後でディップスイッチ群３４に残された室内機２の運転状態の情報を用いて運転を再開することができるので、室内機操作リモコン３を用いなくても室内機２の運転を再開でき、作業員が再度室内に戻る動作が必要なくなり点検時間が短縮することができる。
また、室内機操作リモコン３を用いて室内機２の運転を再開しなくてもよくなるので、室内機操作リモコン３を操作するときに起こりうるヒューマンエラーを防止できる。
【００１６】
実施の形態２．
図４は、この発明の実施の形態２に係る保守用基板１０Ｂの平面図である。
この発明の実施の形態２に係る空気調和機の室外機は、この発明の実施の形態１に係る空気調和機の室外機と保守用基板１０Ｂが異なり、それ以外は同様であるので、同様な部分に同じ符号を付記し説明は省略する。
この発明の実施の形態２に係る保守用基板１０Ｂは、図４に示すように、この発明の実施の形態１に係る保守用基板１０のディップスイッチ群３４、状態取得回路３５および復帰指令回路３６の機能をマイクロコンピュータ４１を用いて実行することが異なっており、それ以外は同様であるので、同様な部分に同じ符号を付記し説明は省略する。
【００１７】
図５は、この発明の実施の形態２に係るマイクロコンピュータの機能ブロック図である。
マイクロコンピュータ４１は、例えば４ビットのマイクロコンピュータであり、ＣＰＵ、ＲＯＭ、ＲＡＭ、インターフェース回路を備える。
そして、マイクロコンピュータ４１は、図５に示すように、運転状態を記憶する運転状態記憶手段４２、比較スイッチ３１がＯＮされたとき室内制御用マイクロコンピュータ２１にアクセスして現在の運転状態を取得し、取得した運転状態を運転状態記憶手段４２に記憶するとともにＬＥＤ３３を点灯する状態取得手段４３、および、指令スイッチ３２がＯＮされたとき運転状態記憶手段４２に記憶されている運転状態に関する情報を室内制御用マイクロコンピュータ２１に送信して室内機２を運転再開する復帰指令手段４４を有する。
【００１８】
図６は、この発明の実施の形態２における空調機を点検する手順を示すフローチャートである。
次に、この発明の実施の形態２に係る空調機の室外制御基板５に保守用基板１０Ｂを接続して点検作業を実行する手順を説明する。
ステップＳ２０１で、作業員は保守用基板１０Ｂを室外制御基板５に取り付ける。
ステップＳ２０２で、比較スイッチ３１をＯＮして室内機２の運転状態を取得してメモリに記憶する。
ステップＳ２０３で、ＬＥＤ３３を点灯してステップＳ２０４に進む。
ステップＳ２０４で、試運転スイッチ２６をＯＮして試運転を行いながら室外機１の点検箇所を点検する。
ステップＳ２０５で、室外機１の点検箇所の点検が完了したら停止スイッチ２７をＯＮして試運転を停止する。
ステップＳ２０６で、指令スイッチ３２をＯＮして室内機２に試運転前の運転状態を指令して室内機２の運転を再開する。
ステップＳ２０７で、保守用基板１０Ｂを室外制御基板５から取り外して点検対象の空調機の点検を終了する。
【００１９】
このように規模の小さなマイクロコンピュータ４１を用いて室内機２の運転状態の情報を取得できるので、安価な保守用基板１０Ｂを提供することができる。
【図面の簡単な説明】
【００２０】
【図１】この発明の実施の形態１に係る空調機の室外機を備える空気調和機の構成図である。
【図２】この発明の実施の形態１に係る保守用基板の平面図である。
【図３】この発明の実施の形態１における空調機を点検する手順を示すフローチャートである。
【図４】この発明の実施の形態２に係る保守用基板の平面図である。
【図５】この発明の実施の形態２に係るマイクロコンピュータの機能ブロック図である。
【図６】この発明の実施の形態２における空調機を点検する手順を示すフローチャートである。
【符号の説明】
【００２１】
１  室外機、２  室内機、３  室内機操作リモコン、４  交流電源、５  室外制御基板、６  ファンモータ、７  圧縮機、８  サーミスタ、９  変圧器、１０、１０Ｂ  保守用基板、１１  室内制御基板、１２  ファンモータ、１３  サーミスタ、１４  変圧器、１５  室外制御用マイクロコンピュータ、１６  整流回路、１７  表示部、１８  試運転操作部、１９  室内通信回路、２１  室内制御用マイクロコンピュータ、２２  整流回路、２３  室外通信回路、２６  試運転スイッチ、２７  停止スイッチ、２８  雌コネクタ、２９  雄コネクタ、３１  比較スイッチ、３２  指令スイッチ、３３  ＬＥＤ、３４  ディップスイッチ群、３５  状態取得回路、３６  復帰指令回路、３７ａ〜３７ｄ  ディップスイッチ、４１  マイクロコンピュータ、４２  運転状態記憶手段、４３  状態取得手段、４４  復帰指令手段。
【図１】
2009144990.tif 000003
【図２】
2009144990.tif 000004
【図３】
2009144990.tif 000005
【図４】
2009144990.tif 000006
【図５】
2009144990.tif 000007
【図６】
2009144990.tif 000008